(57)【要約】【課題】手袋を取り出す方向の自由度が高い手袋用包装箱を提供する。【解決手段】互いに平行な上板５および下板６（第１および第２の側板）と、右板７（第３の側板）と、これらの板と協働して角筒８を形成する左板９（第４の側板）とを備える。この角筒８と、角筒８の一方の開口を閉塞する前板１１（第１の底板）と、角筒８の他方の開口を閉塞する後板１２（第２の底板）とによって、多数の手袋２を積み重ねた状態で収容可能な大きさの直方体状に形成される。この直方体の６つの面のうち、少なくとも互いに垂直に交わる３つの面に、手袋２を個別に取り出すための取り出し部１３がそれぞれ設けられている。【選択図】  図１
0003208479.tif 000002
【実用新案登録請求の範囲】
【請求項１】
互いに平行な第１および第２の側板と、
これらの第１および第２の側板の一端どうしを接続する第３の側板と、
前記第１および第２の側板の他端どうしを接続し、前記第１〜第３の側板と協働して角筒を形成する第４の側板と、
前記角筒の一方の開口を閉塞する第１の底板と、
前記角筒の他方の開口を閉塞する第２の底板とによって、多数の手袋を積み重ねた状態で収容可能な大きさの直方体状に形成され、
前記第１〜第４の側板と、第１および第２の底板とによって形成される６つの面のうち、少なくとも互いに垂直に交わる３つの面に、前記手袋を個別に取り出すための取り出し部がそれぞれ設けられている手袋用包装箱。
【請求項２】
請求項１記載の手袋用包装箱において、
前記手袋は、手首側を揃えて積み重ねられ、
前記取り出し部は、前記手首側と対応する一端側に配設されていることを特徴とする手袋用包装箱。
【請求項３】
請求項１または請求項２に記載の手袋用包装箱において、
前記取り出し部の形状は、角が丸められた四角形を含む四辺形であることを特徴とする手袋用包装箱。
【請求項４】
請求項１または請求項２に記載の手袋用包装箱において、
前記取り出し部の形状は、楕円を含む円形であることを特徴とする手袋用包装箱。
【請求項５】
請求項１ないし請求項４のうちいずれか一つに記載の手袋用包装箱において、
前記取り出し部は、前記手袋を個別に取り出すことが可能な取り出し口の輪郭に沿ったミシン目を有し、
このミシン目によって囲まれた部分が切り取られることにより前記取り出し部に前記取り出し口が開口することを特徴とする手袋用包装箱。
【考案の詳細な説明】
【技術分野】
【０００１】
本考案は、積み重ねられた多数の手袋を収容する手袋用包装箱に関する。
【背景技術】
【０００２】
近年、手袋として、いわゆる使い捨てタイプのものが多く使用されるようになってきた。この種の手袋は、例えば特許文献１に記載されているような包装箱の中に収容された状態で販売され、この包装箱から個別に取り出して使用されている。
【０００３】
特許文献１に開示された手袋用包装箱には、多数の手袋が積み重ねられた状態で収容されており、手袋を個々に取り出すための取り出し口が形成されている。この包装箱は、衛生管理が必要になる用途に適したもので、手袋を衛生的に取り出すことができるように構成されている。すなわち、手袋用包装箱に収容される手袋は、手首側が揃えられ、取り出し口は、包装箱における手袋の手首側が位置する長手方向の一端部に形成されている。このような構成を採ることにより、手袋の指側を触ることなく衛生的に手袋を包装箱から取り出すことができる。
【０００４】
特許文献１に開示された手袋用包装箱の取り出し口は、この包装箱の上面における長手方向の一端部と、この一端部に連なる長手方向の一端面（以下、この端面を前面という）の上端部とに跨がるように形成されている。このため、この包装箱においては、上方と前方との２方向から手袋を取り出すことができる。
【０００５】
ところで、従来の使い捨て手袋は、使用者が手の大きさや用途に合わせて選ぶことができるように、大きさや材質を変えて複数種類形成されている。１つの手袋用包装箱には、同一の大きさの手袋や、同一の材質の手袋が収容されている。このため、複数の作業者にこの種の手袋を供給するためには、手袋の大きさや材質が異なる複数の手袋用包装箱が用意される。これらの包装箱は、設置スペースが可及的に狭くなるように、上下方向に積み重ねて設置されることがある。
【先行技術文献】
【特許文献】
【０００６】
【特許文献１】実用新案登録第３２０２５９１号公報
【考案の概要】
【考案が解決しようとする課題】
【０００７】
特許文献１に開示された手袋用包装箱は、上面と前面とに取り出し口が開口しているから、上面の上に他の手袋用包装箱が重ねられた場合には、前面のみから手袋を取り出さなければならない。このような場合、手袋用包装箱が嵌まり込むような凹所に包装箱が設置され、前面が設置場所の壁や他の物品で遮られると、手袋を取り出すことができなくなってしまう。
このため、従来の手袋用包装箱においては、手袋を取り出す方向の自由度を高くすることが要請されている。
【０００８】
本考案はこのような要請に応えるためになされたもので、手袋を取り出す方向の自由度が高い手袋用包装箱を提供することを目的とする。
【課題を解決するための手段】
【０００９】
この目的を達成するために、本考案に係る手袋用包装箱は、互いに平行な第１および第２の側板と、これらの第１および第２の側板の一端どうしを接続する第３の側板と、前記第１および第２の側板の他端どうしを接続し、前記第１〜第３の側板と協働して角筒を形成する第４の側板と、前記角筒の一方の開口を閉塞する第１の底板と、前記角筒の他方の開口を閉塞する第２の底板とによって、多数の手袋を積み重ねた状態で収容可能な大きさの直方体状に形成され、前記第１〜第４の側板と、第１および第２の底板とによって形成される６つの面のうち、少なくとも互いに垂直に交わる３つの面に、前記手袋を個別に取り出すための取り出し部がそれぞれ設けられているものである。
【００１０】
本考案は、前記手袋用包装箱において、前記手袋は、手首側を揃えて積み重ねられ、前記取り出し部は、前記手首側と対応する一端側に配設されていてもよい。
【００１１】
本考案は、前記手袋用包装箱において、前記取り出し部の形状は、角が丸められた四角形を含む四辺形であってもよい。
【００１２】
本考案は、前記手袋用包装箱において、前記取り出し部の形状は、楕円を含む円形であってもよい。
【００１３】
本考案は、前記手袋用包装箱において、前記取り出し部は、前記手袋を個別に取り出すことが可能な取り出し口の輪郭に沿ったミシン目を有し、このミシン目によって囲まれた部分が切り取られることにより前記取り出し部に前記取り出し口が開口するものであってもよい。
【考案の効果】
【００１４】
本考案によれば、手袋用包装箱の少なくとも３つの面に取り出し部が設けられているから、手袋を少なくとも３方向の何れの方向からでも取り出すことができる。また、この手袋包装箱は、他の手袋用包装箱が積み重ねられたとしても、少なくとも２方向から手袋を取り出すことが可能になる。したがって、本考案によれば、手袋を取り出す方向の自由度が高い手袋用包装箱を提供することができる。
【図面の簡単な説明】
【００１５】
【図１】第１の実施の形態による手袋用包装箱の斜視図である。図１は、未開封の状態を示す。
【図２】取り出し口が開口した状態の手袋用包装箱の斜視図である。
【図３】手袋用包装箱の平面図である。
【図４】取り出し部を拡大して示す平面図である。
【図５】手袋用包装箱の右側部の一部を示す右側面図である。
【図６】手袋用包装箱の前端部を示す正面図である。
【図７】手袋用包装箱の前端部を閉じる過程を説明するための斜視図である。
【図８】手袋用包装箱の前端部を閉じる過程を説明するための斜視図である。
【図９】手袋用包装箱の展開図である。
【図１０】手袋用包装箱の使用形態の一例を示す斜視図である。
【図１１】手袋用包装箱の使用形態の一例を示す斜視図である。
【図１２】手袋用包装箱の使用形態の一例を示す斜視図である。
【図１３】手袋用包装箱の使用形態の一例を示す斜視図である。
【図１４】第２の実施の形態による手袋用包装箱の斜視図である。図１４は、右側部を開いた状態で描いてある。
【図１５】取り出し部の変形例を示す平面図である。
【図１６】取り出し部の変形例を示す平面図である。
【図１７】取り出し部の変形例を示す平面図である。
【考案を実施するための形態】
【００１６】
（第１の実施の形態）
以下、本考案に係る手袋用包装箱の一実施の形態を図１〜図１３によって詳細に説明する。
図１に示す手袋用包装箱１は、多数の手袋２を個々に取り出し可能に収容するもので、直方体状に形成されている。手袋２は、いわゆる使い捨てタイプのものである。この手袋２を形成する材料は、ラテックスゴム、ニトリルゴムなどのゴム系材料や、ポリエチレン、塩化ビニールなどのプラスチック系材料などがある。この実施の形態による手袋２は、衛生が重視される用途に適したラテックスゴム、ニトリルゴムなどのゴム系材料によって形成されたもので、手首側２ａを揃えて積み重ねられて１つの手袋集合体３とした状態で包装箱１内に挿入されて収容されている。
【００１７】
多数の手袋２を積み重ねるにあたっては、手袋２における手の甲と対応する部分の上に掌と対応する部分が重なるように行われている。以下においては、便宜上、図１中に矢印で示すように、多数の手袋２が積み重ねられている方向を上下方向とし、手袋２の手首側２ａを包装箱１の前側とするともに、手袋２の指先側２ｂを包装箱１の後側として説明する。また、図１において、包装箱１を前側から見た状態で右方を包装箱１の右側とし、左方を包装箱１の左側として説明する。
【００１８】
手袋用包装箱１は、１枚の厚紙からなる母材４（図９参照）を折り曲げて組み合わせることによって、６つの板を有する直方体状に形成されている。６つの板とは、図１において手袋２の上方に位置する上板５と、この上板５と平行に形成されて手袋２の下に位置する下板６と、上板５と下板６の右端どうしを接続する右板７と、上板５と下板６の左端どうしを接続し、上板５、下板６および右板７と協働して角筒８を形成する左板９と、角筒８の前側の開口を閉塞する前板１１と、角筒８の後側の開口を閉塞する後板１２である。
【００１９】
この実施の形態においては、上板５が本考案でいう「第１の側板」に相当し、下板６が本考案でいう「第２の側板」に相当する。また、この実施の形態においては、右板７が本考案でいう「第３の側板」に相当し、左板９が本考案でいう「第４の側板」に相当する。さらに、この実施の形態においては、前板１１が本考案でいう「第１の底板」に相当し、後板１２が本考案でいう「第２の底板」に相当する。
【００２０】
上板５は、図３に示すように、上方から見て、前後方向（手袋２の手首側２ａから指先側２ｂを指向する方向と平行な方向）に長い長方形状に形成されている。
この上板５における、手袋２の手首側２ａと対応する前端側には、手袋２を個別に取り出すための取り出し部１３が設けられている。上板５の取り出し部１３が設けられる位置は、手袋用包装箱１に収容された手袋２の手首側２ａの上方である。
【００２１】
この取り出し部１３は、必要に応じて取り出し口１４（図２参照）を形成することが可能な構成が採られている。この実施の形態による取り出し部１３は、図３に示すように、取り出し口１４の輪郭に沿った形状のミシン目１５を有している。この実施の形態によるミシン目１５の形状は、角が丸められた四角形である。このミシン目１５の内側には、図４に示すように、ミシン目１５を介して周囲に接続された切り離し片１６が設けられている。
【００２２】
切り離し片１６の一端部には、この切り離し片１６を切り離すときに使用者が指（図示せず）を挿入して掛けるための指掛け部１７が設けられている。この指掛け部１７は、円弧状の切断線１７ａと、この切断線１７ａの両端を接続する折曲げ線１７ｂとによって構成されている。切り離し片１６を切り離すためには、この指掛け部１７に指を挿入し、この指を用いて切り離し片１６の一端部を摘んで引っ張ることにより行う。
この切り離し片１６が取り出し部１３から切り離されることにより、図２に示すように、取り出し部１３に取り出し口１４が開口する。この取り出し口１４の大きさは、手袋２を１枚ずつ個別に取り出すことが可能な大きさである。
【００２３】
取り出し部１３は、この手袋用包装箱１の上板５と、下板６と、右板７と、左板９と、前板１１と、後板１２とによって形成される６つの面のうち、少なくとも互いに垂直に交わる３つの面にそれぞれ設けられる。ここで、互いに垂直に交わる３つの面とは、手袋用包装箱１の前端部に形成されている４つの角２１〜２４のうち、１つの角（図１参照）を共有するような３つの面である。
【００２４】
角２１を共有する３つの面は、上板５からなる面と、右板７からなる面と、前板１１からなる面である。角２２を共有する３つの面は、上板５からなる面と、左板９からなる面と、前板１１からなる面である。角２３を共有する３つの面は、下板６からなる面と、右板７からなる面と、前板１１からなる面である。角２４を共有する３つの面は、下板６からなる面と、左板９からなる面と、前板１１からなる面である。
【００２５】
この実施の形態においては、上板５と、右板７と、左板９と、前板１１とにそれぞれ取り出し部１３が設けられている。すなわち、互いに垂直に交わる３つの面（上板５、右板７および前板１１からなる面）と、これらの面と平行な他の面であって、前後方向（手袋２の手首側２ａから指先側２ｂを指向する方向と平行な方向）に延びる面（左板９からなる面）に取り出し部１３が設けられている。
【００２６】
下板６は、図示してはいないが、上方から見て上板５と同一の形状に形成されている。この実施の形態による下板６には取り出し部１３が設けられていない。しかし、取り出し部１３は、この下板６の前端部にも設けることができる。
右板７は、図５に示すように、右方から見て前後方向（図５においては左右方向）に長い長方形状に形成されている。この右板７における、手袋２の手首側２ａと対応する前端側であって、上下方向の中央部に取り出し部１３が設けられている。また、右板７には、図９に示すように、接着代となる凸片２５が設けられている。この凸片２５は、この手袋用包装箱１を組み立てる過程で下板６の内面に接着される。この凸片２５が下板６に接着されることによって、上述した角筒８が形成される。
【００２７】
左板９は、右板７と同様に前後方向に長い長方形状に形成されている。この左板９における、手袋２の手首側２ａと対応する前端側であって上下方向の中央部に取り出し部１３が設けられている。
前板１１は、図６に示すように、前方から見て左右方向に長い長方形状に形成されている。この前板１１の左右方向の中央部であって上下方向の中央部には取り出し部１３が設けられている。
後板１２は、図示してはいないが、前方から見て前板１１と同一の形状に形成されている。取り出し部１３は、この後板１２には設けられていない。
【００２８】
この実施の形態による前板１１と後板１２は、分解可能に形成され、分解された状態で手袋用包装箱１内に手袋集合体３を挿入するための挿入口２６（図７参照）が出現するように構成されている。前板１１は、図７に示すように、複数の板状部品を組み合わせて構成されている。前板１１を構成する板状部品とは、上板５の前端に接続された上フラップ３１と、右板７の前端に接続された右フラップ３２と、左板９の前端に接続された左フラップ３３と、下板６の前端に接続された下フラップ３４である。
【００２９】
上フラップ３１には取り出し部１３の一部を構成するミシン目１５が形成されている。この上フラップ３１の先端部には、第１の差し込み片３５が設けられている。この第１の差し込み片３５は、下板６と下フラップ３４との境界部分に形成されたスリット３６（図８参照）に外側から挿入される。
右フラップ３２と左フラップ３３は、それぞれＬ字状に形成されており、下側で左右方向に延びる連結片３２ａ，３３ａを有している。これらの連結片３２ａ，３３ａの先端部どうしは、一方の連結片３２ａに設けられた切欠き３２ｂに他方の連結片３３ｂの切欠き３３ｂが係合されることによって連結されている。
【００３０】
下フラップ３４には取り出し部１３の一部を構成する穴３７が形成されている。この下フラップ３４の先端部には、第２の差し込み片３８が設けられている。この第２の差し込み片３８は、上板５と右フラップ３２との間の隙間Ｓ１（図７参照）と、上板５と左フラップ３３との間の隙間Ｓ２とに挿入される。
【００３１】
前板１１を組み立てるためには、先ず、図７に示すように、右フラップ３２の連結片３２ａと左フラップ３３の連結片３３ａとを互いに連結させる。そして、図８に示すように、下フラップ３４を持ち上げて右フラップ３２および左フラップ３３に前方から被せ、第２の差し込み片３８を上板５に沿わせながら左右のフラップ３２，３３の間に挿入する。次に、上フラップ３１を下げて下フラップ３４に被せ、第１の差し込み片３５をスリット３６に挿入する。このように第１の差し込み片３５がスリット３６に挿入されることによって、上フラップ３１が下フラップ３４と重なる状態に保持され、前板１１の組立が終了する。
【００３２】
後板１２は、取り出し部１３を有していないことを除けば前板１１と同等の構成が採られている。すなわち、後板１２は、図９に示すように、上板５に接続された後側の上フラップ４１と、右板７に接続された後側の右フラップ４２と、左板９に接続された後側の左フラップ４３と、下板６に接続された後側の下フラップ４４とによって構成されている。上フラップ４１には第３の差し込み片４５が設けられている。この第３の差し込み片４５は、下板６と下フラップ３４との境界部分に設けられたスリット４６に挿入される。この上フラップ３１には取り出し部１３のミシン目１５は設けられていない。左右のフラップ４２，４３にはそれぞれ係止用の切欠き４２ａ，４３ａが設けられ、下フラップ３４には第４の差し込み片４７が設けられている。第４の差し込み片４７は、上板５と左右のフラップ４２，４３との間の隙間（図示せず）に挿入される。下フラップ３４には、取り出し部１３の一部となる穴は設けられていない。
【００３３】
このように構成された手袋用包装箱１を組み立てるためには、先ず、図９に示す母材４を折り曲げて角筒８を形成する。図９においては、折り曲げられる部分を細線からなる破線で示す。そして、前板１１と後板１２のうちいずれか一方を組立て、長手方向の一端が開口した有底角筒状の手袋包装箱１を形成する。次に、この手袋包装箱１の開口部に手袋集合体３を挿入し、開口部となる板を組み立てて開口部を閉じる。手袋集合体３は、手袋２において手の甲あるいは掌に相当する部分が上板５側に位置する姿勢で手袋包装箱１内に挿入される。このように開口部が閉じられることにより手袋包装箱１が完成する。
【００３４】
この手袋包装箱１の手袋２を使用するときは、４箇所に設けられている取り出し部１３のうち、所望の取り出し部１３の切り離し片１６を切り離して取り出し口１４を開口させる。このとき、全ての切り離し片１６を切り離した場合は、手袋２を４方向の何れの方向からでも取り出すことができる。手袋２を取り出すためには、使用者が指を取り出し口１４から手袋包装箱１内に挿入し、指で手袋２を摘まんで引き出すことによって行うことができる。取り出し口１４は手袋２の手首側２ａに開口しているから、この取り出し時に使用者が手袋２の指先側２ｂを不用意に触ることはない。
【００３５】
この実施の形態による手袋包装箱１は図１０に示すように、右板７を設置側として立てた状態で使用することができる。この使用形態を採る場合は、上板５の取り出し部１３と、前板１１の取り出し部１３と、左板９の取り出し部１３とのうち何れの取り出し部１３からでも手袋２を取り出すことができる。また、この手袋包装箱１は、図１１に示すように、後板１２を設置側として立てた状態で使用することができる。この使用形態を採る場合は、上板５の取り出し部１３と、右板７の取り出し部１３と、左板９の取り出し部１３と、前板１１の取り出し口部１３とのうち何れの取り出し部１３からでも手袋２を取り出すことができる。
【００３６】
さらに、この実施の形態による手袋包装箱１は、図１２に示すように、他の手袋包装箱１を上下方向に積み重ねた状態で使用することができる。この場合、上板５が上に位置する形態で使用することにより、最も上の手袋包装箱１においては、手袋２を前方、右方、左方および上方の４方向のうち少なくともいずれか一方から取り出しことができ、他の手袋包装箱１においては、手袋２を前方と、右方と、左方とのうち少なくともいずれか一方から取り出すことができる。特に、この形態を採る場合は、右方と左方との両方から手袋２を取り出すことができる。
【００３７】
さらにまた、この実施の形態による手袋包装箱１は、図１３に示すように、凹形状の設置スペース５１に収容された状態でも使用可能である。図１３に示す設置スペース５１の広さは、４個の手袋用包装箱１を上板５が上に位置するように積み重ね、右板７のみが露出する状態で収容可能な広さである。このような場合であっても、各手袋包装箱１の右板７の取り出し部１３から手袋２を取り出すことができる。
【００３８】
したがって、この実施の形態においては、手袋用包装箱１の少なくとも３つの面に取り出し部１３が設けられているから、手袋２を少なくとも３方向の何れの方向からでも取り出すことができる。この結果、この実施の形態によれば、他の包装箱１が重ねられた状態であっても取り出し部１３が露出し易くなるから、手袋２を取り出す方向の自由度が高い手袋用包装箱を提供することができる。
【００３９】
この実施の形態による手袋２は、手首側２ａを揃えて積み重ねられている。また、手袋用包装箱１の取り出し部１３は、手首側２ａと対応する一端側に配設されている。このため、手袋２を手袋用包装箱１から取り出すときに指先側２ｂに触れることなく手袋２の手首側２ａを持って行うことができるから、衛生的である。
【００４０】
この実施の形態による手袋用包装箱１は、上板５と、右板７と、左板９と、前板１１とにそれぞれ取り出し部１３が設けられている。このため、この実施の形態による手袋用包装箱１においては、４方向の何れの方向からでも手袋２を取り出すことできるから、手袋２を取り出す方向の自由度がより一層高くなる。特に、互いに平行な２つの面（右板７と左板９）にそれぞれ取り出し口１４が形成された場合は、手袋用包装箱１を挟んで両方向から手袋２を取り出すことができるから、使い勝手がより一層良くなる。
【００４１】
この実施の形態による取り出し部１３の形状は、角が丸められた四角形である。このため、取り出し口１４が大きく開口するから、手袋２を取り出し易い。
この実施の形態による取り出し部１３は、手袋２を個別に取り出すことが可能な取り出し口１４の輪郭に沿ったミシン目１５を有している。このミシン目１５によって囲まれた切り離し片１６が切り取られることによって、取り出し部１３に取り出し口１４が開口する。このため、この実施の形態によれば、取り出し口１４を塞いでおくための取り外し可能な蓋となる部材が不要である。したがって、必要に応じて開口させることが可能な取り出し部１３を包装箱１の材料のみによって得ることができるから、安価な手袋用包装箱を提供することができる。
【００４２】
（第２の実施の形態）
本考案に係る手袋用包装箱は、図１４に示すように構成することができる。図１４において、図１〜図１３によって説明したものと同一もしくは同等の部材については、同一符号を付し詳細な説明を適宜省略する。
図１４に示す手袋用包装箱６１は、手袋集合体３（図示せず）を挿入する挿入口となる部分が第１の実施の形態による手袋包装箱１と異なっているだけで、その他の構成は第１の実施の形態を採るときと同一である。
【００４３】
この実施の形態による手袋用包装箱６１は、右板７と左板９｛手袋包装箱６１の長手方向（手袋２の手首側２ａから指先側２ｂを指向する方向と平行な方向）に延びる面のうち、幅が相対的に狭い２つの面｝とが手袋集合体３の挿入口２６となるように構成されている。
図１４は、右板７が分解されて挿入口２６が出現した状態で描いてある。右板７と左板９の構成は同一である。このため、ここでは右板７の構成のみを説明し、左板９の説明は省略する。
【００４４】
右板７は、上板５に接続された第１のフラップ６２と、下板６に接続された第２のフラップ６３と、前板１１および第２のフラップ６３に接続された第３のフラップ６４と、後板１２および第２のフラップ６３に接続された第４のフラップ６５などによって構成されている。
第１のフラップ６２の前端側には、右板７の取り出し部１３の一部を構成するミシン目１５が形成されている。また、第１のフラップ６２の前後方向の中央部には、下板６と第２のフラップ６３との境界部分に形成されているスリット６６に挿入される第５の差し込み片６７が設けられている。
【００４５】
第２のフラップ６３には、右板７の取り出し口１４の一部となる穴６８が形成されているとともに、第６の差し込み片６９が設けられている。この第６の差し込み片６９は、上板５と、第３および第４のフラップ６４，６５との間の隙間（図示せず）に挿入される。
第３のフラップ６４と第４のフラップ６５は、前板１１と後板１２とに接続される角部７１，７２から対角線上に折れ線７３，７４が設けられており、この折れ線７３，７４を中心にして箱内側に向けて折り曲げられている。
【００４６】
この実施の形態による手袋用包装箱６１は、前板１１および後板１２が分解可能な第１の実施の形態による手袋用包装箱１と較べると、相対的に長い右板７と左板９とがそれぞれ２枚のフラップ（第１および第２のフラップ６２，６３）で形成されることになり、剛性が相対的に高くなる。このため、この実施の形態によれば、複数の他の手袋用包装箱が上面に載せられたとしても重量で変形することがない手袋用包装箱を提供することができる。
【００４７】
（取り出し部の変形例）
取り出し部１３の形状は、上述した四角形状に限定されることはなく、適宜変更することができる。取り出し部１３は、例えば図１５〜図１７に示すように形成することができる。ここでは、上板５に設けられた取り出し部１３について説明する。
図１５に示す取り出し部１３は、手袋用包装箱１の長手方向の一端部にミシン目１５が台形状となるように設けられている。ミシン目１５によって形成された台形は、開口幅が手袋用包装箱１の一端側（手袋２の手首側２ａ）から手袋用包装箱１の内側（手袋２の油先側２ｂ）に向かうにしたがって次第に広くなるように形成されている。なお、取り出し部１３を台形状に形成する場合は、手袋２の指先側２ｂから手首側２ａに向かうにしたがって次第に開口幅が広くなるように形成してもよい。
【００４８】
図１６に示す取り出し部１３は、楕円状に形成されている。図１７に示す取り出し部１３は、円形に形成されている。
これらの図１５〜図１７に示すように、取り出し部１３を台形、楕円あるいは円形に形成することにより、手袋２を取り出すことが可能な大きさに取り出し口１４を形成しながら、取り出し口１４が四角形である場合と較べて取り出し口１４と包装箱１の角２１，２２との間の距離Ｌを長くとることができる。したがって、手袋用包装箱１の１つの角部の周囲に複数の取り出し口１４が開口した場合であっても、手袋用包装箱１の剛性を高く保つことが可能になる。
【００４９】
上述した各実施の形態に示す手袋用包装箱１，６１は、衛生が重視される用途の手袋２を収容するものである。しかし、本考案は、このような限定にとらわれることはない。例えば、清掃時に作業者の手を保護する保護手袋を収容するものであってもよい。この場合、取り出し部１３を手袋用包装箱１，６１の長手方向の中央部に設けることができる。
【００５０】
上述した実施の形態による手袋用包装箱１，６１の取り出し部１３は、ミシン目１５の内側に位置する切り離し片１６をミシン目１５に沿って切り離すことにより取り出し口１４が開口する構成が採られている。しかし、取り出し部は、図示してはいないが、手袋用包装箱の板状部分に予め形成された取り出し口と、この板状部分に取り出し口を覆う状態に取り外し可能に貼り付けられたシート状の蓋体とによって構成することもできる。
【符号の説明】
【００５１】
１，６１…手袋用包装箱、２…手袋、２ａ…手首側、５…上板（第１の側板）、６…下板（第２の側板）、７…右板（第３の側板）、８…角筒、９…左板（第４の側板）、１１…前板（第１の底板）、１２…後板（第２の底板）、１３…取り出し部、１４…取り出し口、１５…ミシン目、１６…切り離し片。
【図１】
0003208479.tif 000003
【図２】
0003208479.tif 000004
【図３】
0003208479.tif 000005
【図４】
0003208479.tif 000006
【図５】
0003208479.tif 000007
【図６】
0003208479.tif 000008
【図７】
0003208479.tif 000009
【図８】
0003208479.tif 000010
【図９】
0003208479.tif 000011
【図１０】
0003208479.tif 000012
【図１１】
0003208479.tif 000013
【図１２】
0003208479.tif 000014
【図１３】
0003208479.tif 000015
【図１４】
0003208479.tif 000016
【図１５】
0003208479.tif 000017
【図１６】
0003208479.tif 000018
【図１７】
0003208479.tif 000019